(57)【要約】【課題】配設凹部からの浸水による動作不良を確実に防止する。【解決手段】ポット本体１５は、上部外装体１６の上部に液体容器１０を配設する配設凹部２２を備えるとともに、配設凹部２２内に遮熱容器３９を配設するとともに、遮熱容器３９内に加熱板４７を配設したもので、配設凹部２２の底および遮熱容器３９の底を、所定部位が最下点になるように傾斜させ、その最下点に排水口２３，４０をそれぞれ設けるとともに、ポット本体１５の下部外装体３１に外部に連通する排水孔３３を設ける一方、配設凹部２２の底および遮熱容器３９の底に、固定用のネジ挿通孔２５，４１や加熱手段用の配線挿通孔２６，４２などの貫通部を設け、少なくとも配設凹部２２の貫通部の周囲に防水壁３０を立設する。【選択図】図１
2005261757.tif 000002
【特許請求の範囲】
【請求項１】
ポット本体の上部に加熱手段を備えた加熱板を配設し、該加熱板の上部に着脱可能に液体容器を配設することにより、該液体容器内の液体を加熱する電気ポットにおいて、
前記ポット本体は、上部外装体の上部に前記液体容器を配設する配設凹部を備えるとともに、該配設凹部内に遮熱容器を配設するとともに、該遮熱容器内に前記加熱板を配設したもので、
前記配設凹部の底および遮熱容器の底を、所定部位が最下点になるように傾斜させ、その最下点に排水口をそれぞれ設けるとともに、前記ポット本体の下部外装体に外部に連通する排水孔を設ける一方、
前記配設凹部の底および遮熱容器の底に、固定用のネジ挿通孔や前記加熱手段用の配線挿通孔などの貫通部を設け、少なくとも前記配設凹部の貫通部の周囲に防水壁を立設したことを特徴とする電気ポット。
【請求項２】
前記下部外装体を、前記排水孔が最下点に位置するように底を傾斜させたことを特徴とする請求項１に記載の電気ポット。
【請求項３】
入力手段を有する操作基板および前記加熱手段を制御する制御基板を備え、前記上部外装体の配設凹部と下部外装体の底との間に隔壁を設け、外装体内を、一対の前記基板を配設する基板収容部と、前記排水経路を有する非基板収容部とに区画したことを特徴とする請求項１または請求項２に記載の電気ポット。
【請求項４】
前記隔壁は、前記制御基板を配設する基板ホルダーに設けたものであることを特徴とする請求項３に記載の電気ポット。
【請求項５】
前記配設凹部に液体容器を配置したか否かを検出する容器検出手段を備え、該容器検出手段は、前記配設凹部内に突出して液体容器を配設することにより没入される作動部材と、該作動部材の下部に配設したリンク部材と、区画された前記制御基板に配設され前記リンク部材の上下動を検出するセンサと、からなることを特徴とする請求項３または請求項４に記載の電気ポット。
【請求項６】
前記加熱手段の充電部を前記下部外装体の排水孔から所定間隔をもって離れた位置に配置するとともに、該充電部との間に位置するように前記排水孔の外周部に隔壁部を立設したことを特徴とする請求項１乃至請求項５のいずれか１項に記載の電気ポット。
【請求項７】
前記配設凹部の排水口の周囲から筒状のダクト部を下向きに突設し、該ダクト部の下端縁を前記隔壁部の内側または外側に重畳させたことを特徴とする請求項６に記載の電気ポット。
【発明の詳細な説明】
【技術分野】
【０００１】
本発明は、所定温度に加熱および保温する調乳ポットなどの電気ポットに関するものである。
【背景技術】
【０００２】
本発明の電気ポットに関連する先行技術文献情報としては次のものがある。
【０００３】
【特許文献１】特開平１１−３１８７０６号公報
【０００４】
この特許文献１には、ポット本体の上部に液体容器を着脱可能に配設する配設凹部を設け、該配設凹部内に遮熱容器および加熱手段を備えた加熱板を配設した電気ポットが記載されている。この電気ポットでは、ポット本体を構成する上部外装体から分割リブを下向きに突設するとともに、下部外装体から前記分割リブに重なり合う分割リブを突設し、外装体内部を前方と後方の収容部に区画している。そして、前方の収容部には、入力手段を実装した操作基板と、マイコンを実装した制御基板とが配設されている。また、後方の収容部には、加熱手段であるヒータの充電部や、液体容器の有無を検出する容器検出手段が配設されている。この容器検出手段は、前記配設凹部内に突出して液体容器を配設することにより没入される作動部材と、該作動部材が下降することにより接点がオンされるマイクロスイッチを実装したスイッチ基板が配設されている。
【発明の開示】
【発明が解決しようとする課題】
【０００５】
しかしながら、前記特許文献１の電気ポットでは、ポット本体に対して液体容器を着脱可能に配設するものであるため、この液体容器の非装着状態では露出した加熱板上に水が滴下される可能性が高い。しかも、液体容器の有無を検出するために加熱板や遮熱容器には複数の貫通部が形成されているため、この貫通部を通って水が外装体内に浸水する可能性がある。そして、この水がスイッチ基板上に滴下した場合には、液体容器の有無を確実に検出できない可能性があるうえ、この容器検出手段には、液体容器内の液体温度を検出する温度検出手段が配設されているため、機器の動作不良に繋がる虞がある。
【０００６】
そこで、本発明では、配設凹部からの浸水による動作不良を確実に防止できる電気ポットを提供することを課題とするものである。
【課題を解決するための手段】
【０００７】
前記課題を解決するため、本発明の電気ポットは、ポット本体の上部に加熱手段を備えた加熱板を配設し、該加熱板の上部に着脱可能に液体容器を配設することにより、該液体容器内の液体を加熱する電気ポットにおいて、前記ポット本体は、上部外装体の上部に前記液体容器を配設する配設凹部を備えるとともに、該配設凹部内に遮熱容器を配設するとともに、該遮熱容器内に前記加熱板を配設したもので、前記配設凹部の底および遮熱容器の底を、所定部位が最下点になるように傾斜させ、その最下点に排水口をそれぞれ設けるとともに、前記ポット本体の下部外装体に外部に連通する排水孔を設ける一方、前記配設凹部の底および遮熱容器の底に、固定用のネジ挿通孔や前記加熱手段用の配線挿通孔などの貫通部を設け、少なくとも前記配設凹部の貫通部の周囲に防水壁を立設した構成としている。
【０００８】
この電気ポットでは、前記下部外装体を、前記排水孔が最下点に位置するように底を傾斜させることが好ましい。
【０００９】
また、入力手段を有する操作基板および前記加熱手段を制御する制御基板を備え、前記上部外装体の配設凹部と下部外装体の底との間に隔壁を設け、外装体内を、一対の前記基板を配設する基板収容部と、前記排水経路を有する非基板収容部とに区画することが好ましい。
この場合、前記隔壁は、前記制御基板を配設する基板ホルダーに設けることが好ましい。
また、前記配設凹部に液体容器を配置したか否かを検出する容器検出手段を備え、該容器検出手段は、前記配設凹部内に突出して液体容器を配設することにより没入される作動部材と、該作動部材の下部に配設したリンク部材と、区画された前記制御基板に配設され前記リンク部材の上下動を検出するセンサと、からなることが好ましい。
【００１０】
さらに、前記加熱手段の充電部を前記下部外装体の排水孔から所定間隔をもって離れた位置に配置するとともに、該充電部との間に位置するように前記排水孔の外周部に隔壁部を立設することが好ましい。
この場合、前記配設凹部の排水口の周囲から筒状のダクト部を下向きに突設し、該ダクト部の下端縁を前記隔壁部の内側または外側に重畳させることが好ましい。
【発明の効果】
【００１１】
本発明の電気ポットでは、上部外装体の配設凹部の底および遮熱容器の底を傾斜させ、その最下点に排水口をそれぞれ設け、下部外装体の排水孔から外部に排水する排水経路を設けている。しかも、外装体内に通じる配設凹部には、複数の貫通部の周囲に防水壁を立設しているため、液体容器の非装着状態で露出した加熱板上に水が滴下しても、外装体内に浸水した水が電子部品に付着することを防止できる。その結果、浸水による動作不良の可能性を確実に防止できる。
【００１２】
また、下部外装体の底を傾斜させ、その最下点に前記排水孔を設けているため、浸水した水を外装体内に残留させることなく、確実に外部に排水することができる。
【００１３】
さらに、上部外装体の配設凹部と下部外装体の底との間に隔壁を設け、外装体内を基板収容部と非基板収容部とに区画しているため、いずれの基板にも水が付着する可能性を無くすことができる。その結果、浸水による動作不良を更に確実に防止できる。この場合、液体容器の有無を検出する容器検出手段は、前記配設凹部内に突出して液体容器を配設することにより没入される作動部材と、該作動部材の下部に配設したリンク部材と、該リンク部材の上下動を検出するセンサとからなり、このセンサを区画された前記制御基板に配設することにより、確実に基板収容部と非基板収容部とを区画した状態に維持できる。
【００１４】
さらにまた、加熱手段の充電部との間に位置するように排水孔の縁に隔壁部を立設し、また、配設凹部の排水口の周囲から前記隔壁部の内側または外側に重畳するダクト部を設けているため、確実に浸水した水を外部に排水できる。しかも、導電性を有する線状部材が排水孔から内部に差し込まれ、加熱手段の充電部に接触することにより感電の可能性を確実に防止できる。
【発明を実施するための最良の形態】
【００１５】
以下、本発明の実施の形態を図面に従って説明する。
【００１６】
図１および図２は、本発明の実施形態に係る電気ポットである調乳ポットを示す。この調乳ポットは、ポット本体１５に対して液体容器１０を着脱可能に配設し、該液体容器１０内の液体（水）を所定温度まで加熱した後に保温したり、沸騰させた後に所定温度に保温するものである。
【００１７】
具体的には、液体容器１０は、上端開口の円筒状をなす耐熱性ガラスからなるものである。この液体容器１０の上端縁には、下向きに窪むとともに若干外向きに突出した注口１１が設けられている。また、この注口１１の反対側に位置するように取手部材１２が金属製のリング部材１３を介して取り付けられている。また、この液体容器１０の上端開口は、別体からなる蓋体１４により開閉可能に閉塞される。
【００１８】
前記ポット本体１５は、上部外装体１６および下部外装体３１からなる外装体に、前記液体容器１０の配設凹部２２を設け、該配設凹部２２内に、遮熱容器３９と加熱板４７とを配設するとともに、外装体内を基板収容部３６と非基板収容部３７とに区画し、非基板収容部３７に外部に通じる排水構造を設けたものである。
【００１９】
前記上部外装体１６は、図２および図３（Ａ），（Ｂ）に示すように、平面視略長楕円形状をなす下端開口の樹脂製のものである。この上部外装体１６には、前方に操作パネル部１７が設けられるとともに、後方に円筒状に突出した壁により前記液体容器１０の配設凹部２２が形成されている。
【００２０】
前記操作パネル部１７は、図４に示す機能などの表示がなされた樹脂シート１８を貼着する凹部１９内に、後述する操作基板５７に配設した温度設定スイッチ５８と対応する操作部２０ａと、沸騰スイッチ５９と対応する操作部２０ｂと、メロディー音のオン／オフスイッチ６０と対応する操作部２０ｃが設けられている。また、保温温度の設定状態を示す第１ＬＥＤ６１ａ，６１ｂ、沸騰制御を実行しているか否かを示す第２ＬＥＤ６２、および、メロディー音のオン設定状態を示す第３ＬＥＤ６３と対応する貫通孔２１ａ〜２１ｄが設けられている。
【００２１】
前記ポット本体１５の上部に形成される配設凹部２２は、内部に遮熱容器３９および加熱板４７を配設し、その上に前記液体容器１０を載置するものである。この配設凹部２２の底は、所定部位が最下点になるように傾斜したもので、その最下点に排水口２３が設けられている。この排水口２３の周囲には、下向きに筒状に突出するダクト部２４が設けられている。また、この配設凹部２２の底には、遮熱容器３９を固定するためのネジ挿通孔２５、加熱板４７に配設した加熱手段用の配線挿通孔２６、温度検出手段を内蔵した容器検出手段を挿通する作動部材挿通孔２７、電源プラグと加熱板４７とを接続する温度ヒューズ（図示せず）を介設したリード線を挿通するリード線挿通孔２８，２９が設けられている。そして、これら各挿通孔２５〜２９からなる貫通部の周囲には、リブからなる防水壁３０が立設されている。なお、本実施形態では、この防水壁３０は、配設凹部２２の底面からも下向きに突出するように設けられている。
【００２２】
前記下部外装体３１は、図２および図５に示すように、前記上部外装体１６の下端開口を閉塞するものである。この下部外装体３１の底には、前記排水口２３と垂直に対応する下部が最下点に位置する傾斜部３２が設けられ、その最下点に外部に連通する排水孔３３が設けられている。この排水孔３３は複数のスリットを並設したもので、これらと加熱手段の充電部５０が位置する後方（配線挿通孔２６）との間に位置するように、前記排水孔３３の外周部にＬ字形状をなす隔壁部３４が設けられている。この隔壁部３４は、下部外装体３１を上部外装体１６に装着した状態で、前記ダクト部２４の下端の外側に重畳する寸法で形成されている。なお、この隔壁部３４は、ダクト部材の内側に重畳させてもよい。
【００２３】
前記上部外装体１６と下部外装体３１とからなる外装体内は、上部外装体１６の配設凹部２２と下部外装体３１の底との間に設けた隔壁３５により、操作基板５７および制御基板６４を配設する基板収容部３６と、排水経路を有する非基板収容部３７とに区画されている。そして、本実施形態では、前記隔壁３５は、後述する制御基板６４を配設するための基板ホルダー６７に設けた壁部６９と、前記下部外装体３１の底から突設したリブ部３８とにより構成している。
【００２４】
前記遮熱容器３９は、図２および図６（Ａ），（Ｂ），（Ｃ）に示すように、前記上部外装体１６の配設凹部２２に配設され、その内部には後述する加熱板４７が配設されるガルバリウム鋼板製のものである。なお、遮熱容器４１はステンレス製であってもよい。この遮熱容器３９の底は、前記配設凹部２２と同様に、所定部位が最下点になるように傾斜したもので、その最下点に排水口４０が設けられている。この排水口４０は、下向きに更に窪んだ形状をなしている。また、この遮熱容器３９の底には、前記配設凹部２２のネジ挿通孔２５と対応する内周部にネジ溝を形成したネジ挿通孔４１、前記配線挿通孔２６と対応する配線挿通孔４２、前記作動部材挿通孔２７と対応する作動部材挿通孔４３、加熱板４７を固定するためのネジ挿通孔４４、加熱板４７を位置決めするための位置決め部４５ａ，４５ｂが設けられている。前記ネジ挿通孔４１，４４は、それぞれ底より隆起するように設けられている。また、配線挿通孔４２の所定位置、および、作動部材挿通孔４３の外周縁には、リブからなる防水壁４６が立設されている。
【００２５】
前記遮熱容器３９の傾斜した底、配設凹部２２の傾斜した底、下部外装体３１の傾斜部３２、および、これらに設けた排水口２３，４０と排水孔３３は、配設凹部２２に水が滴下した場合の排水経路を構成する。
【００２６】
前記加熱板４７は、図２に示すように、加熱手段であるヒータ４９を内装したアルミダイキャストヒータからなり、前記遮熱容器３９内に配設され、その上部に液体容器１０を配設することにより、該液体容器１０内の液体を加熱するものである。この加熱板４７の中央には、前記作動部材挿通孔２７，４３と対応する作動部材挿通孔４８が設けられている。前記ヒータ４９の充電部５０は、下部外装体３１の排水孔３３から所定間隔をもって離れた後方位置である配線挿通孔２６，４２を通して外装体の非基板収容部３７内に配置される。また、この加熱板４７の底面には、前記ネジ挿通孔４４に対応するネジ孔（図示せず）が設けられている。さらに、本実施形態の加熱板４７の上面外周部には、外側下向きに傾斜する面取部５１が設けられている。
【００２７】
前記配設凹部２２に液体容器１０を配置したか否か、即ち、液体容器１０の有無を検出するための容器検出手段は、図１および図２に示すように、前記前記遮熱容器３９に固定するための固定部材５２と、該固定部材５２に対してスプリング５３によって上向きに付勢された作動部材５４と、該作動部材５４の下部に配設されたリンク部材５５と、後述する制御基板６４に配設されたセンサとからなる。前記作動部材５４は、その上端が加熱板４７を貫通して前記配設凹部２２内に突出するもので、その内部には液体容器１０の温度を検出することにより、内部の液体温度を検出する温度検出手段である温度センサ５６が配設されている。前記リンク部材５５は、ＳＵＳ４３０などの磁性を有する金属材料からなり、前記配設凹部２２に液体容器１０が配置され、前記作動部材５４が没入されることにより、一体的に下降するもので、その先端は隔壁３５を構成する壁部６９の近傍まで延びるように構成されている。
【００２８】
前記操作基板５７は、図１および図２に示すように、隔壁３５により区画された基板収容部３６内である前記操作パネル部１７の背部にネジ止めにより固定されるものである。この操作基板５７には、ユーザが操作する入力手段として、操作部２０ａと対応する温度設定スイッチ５８、操作部２０ｂと対応する沸騰スイッチ５９、および、操作部２０ｃと対応するメロディー音のオン／オフスイッチ６０が実装されている。また、保温温度の設定状態を示す第１ＬＥＤ６１ａ，６１ｂ、沸騰制御を実行しているか否かを示す第２ＬＥＤ６２、および、メロディー音のオン設定状態を示す第３ＬＥＤ６３が実装されている。
【００２９】
前記制御基板６４は、前記温度センサ５６および操作基板５７とケーブル接続されるとともに、前記リンク部材５５の上下動を検出する磁気センサ６５および制御手段であるマイコン６６が実装されたものである。そして、このマイコン６６は、前記操作基板５７に配設された入力手段である各スイッチ５８〜６０の操作に基づいて予め設定された所定の加熱制御および保温制御を行うものである。
【００３０】
具体的には、マイコン６６は、電源コードが商用電源に接続されると、保温温度が５０℃でメロディー音をオン設定とする。そして、配設凹部２２に液体容器１０が配置され、容器検出手段を構成する作動部材５４およびリンク部材５５が下降し、その状態を磁気センサ６５により検出すると、第１ＬＥＤ６１ａおよび第３ＬＥＤ６３を点灯させ、液体容器１０内の液体が５０℃になるまで加熱した後、その温度を維持するように保温する。また、この状態で、各スイッチ５８〜６０が操作されると、そのスイッチ５８〜６０に応じた機能を設定変更する。即ち、温度設定スイッチ５８が操作されると、その操作の度に「９５」→「５０」→「９５」と設定を変更する。また、沸騰スイッチ５９が操作されると、液体容器１０内の液体を沸騰させた後に、設定された保温温度を維持するように保温する。さらに、オン／オフスイッチ６０が操作されると、その操作の度に「オフ」→「オン」→「オフ」と設定を変更する。さらにまた、電源コードが商用電源に接続された状態で、液体容器１０が配設凹部２２から取り外されると、そのときの設定状態を記憶し、次に液体容器１０が配設凹部２２に配置されると、その記憶した設定で加熱および保温制御を行う。なお、加熱時に空焚きであると判断した場合には、前記第１ＬＥＤ６１ａ，６１ｂを交互に点滅させる。
【００３１】
前記制御基板６４は、隔壁３５により区画された基板収容部３６内に基板ホルダー６７を介して配設される。そして、本実施形態では、この基板ホルダー６７に前記隔壁３５を構成する壁部６９が一体に設けられている。具体的には、この基板ホルダー６７は、図１、図２および図７に示すように、下部に制御基板６４をネジ止めして固定するホルダー本体６８と、該ホルダー本体６８の一端より下方および両側に突出するように延び、その下端縁が前記リブ部３８と一致するように形成した壁部６９とからなる。この壁部６９の背面側、即ち、非基板収容部３７内に位置する側には、マグネットを取り付けるためのマグネット取付部７０が設けられている。そして、このマグネット取付部７０に取り付けたマグネットと前記磁気センサ６５との間に前記リンク部材５５の先端部が下側より進入し、磁気センサ６５への磁気の入力が遮断されることにより、前記リンク部材５５の上下動を検出する構成としている。
【００３２】
このように構成した調乳ポットでは、上部外装体１６の配設凹部２２の底および遮熱容器３９の底を傾斜させ、その最下点に排水口をそれぞれ設け、下部外装体３１の排水孔３３から外部に排水する排水経路を設けている。しかも、外装体内に通じる配設凹部２２には、複数の貫通部の周囲に防水壁３０を立設しているため、液体容器１０の非装着状態で露出した加熱板４７上に水が滴下しても、外装体内に浸水した水が電子部品に付着することを防止できる。その結果、浸水による動作不良の可能性を確実に防止できる。また、下部外装体３１の底を傾斜させ、その最下点に前記排水孔３３を設けているため、浸水した水を外装体内に残留させることなく、確実に外部に排水することができる。
【００３３】
さらに、上部外装体１６の配設凹部２２と下部外装体３１の底との間に隔壁３５を設け、外装体内を基板収容部３６と非基板収容部３７とに区画しているため、いずれの基板５７，６４にも水が付着する可能性を無くすことができる。その結果、浸水による動作不良を更に確実に防止できる。さらにまた、加熱手段の充電部５０との間に位置するように排水孔３３の縁に隔壁部３４を立設し、また、配設凹部２２の排水口の周囲から前記隔壁部３４の内側または外側に重畳するダクト部２４を設けているため、確実に浸水した水を外部に排水できる。しかも、導電性を有する線状部材が排水孔３３から内部に差し込まれ、加熱手段の充電部５０に接触することにより感電の可能性を確実に防止できる。
【００３４】
また、本実施形態では、液体容器１０の有無を検出する容器検出手段は、前記配設凹部２２内に突出して液体容器１０を配設することにより没入される作動部材５４と、該作動部材５４の下部に配設したリンク部材５５と、該リンク部材５５の上下動を検出する磁気センサ６５とからなる構成としているため、確実に基板収容部３６と非基板収容部３７とを区画できるうえ、この状態でも確実に配設凹部２２に対する液体容器１０の有無を検出することができる。
【００３５】
なお、本発明の電気ポットは、前記実施形態の構成に限定されるものではなく、種々の変更が可能である。
【図面の簡単な説明】
【００３６】
【図１】本発明の実施形態に係る電気ポットである調乳ポットの概略構成を示す分解斜視図である。
【図２】調乳ポットの断面図である。
【図３】（Ａ），（Ｂ）は上部外装体を示す斜視図である。
【図４】操作パネル部に配設する樹脂シートを示す平面図である。
【図５】下部外装体を示す斜視図である。
【図６】遮熱容器を示し、（Ａ）は斜視図、（Ｂ）は平面図、（Ｃ）は断面図である。
【図７】基板ホルダーを示す斜視図である。
【符号の説明】
【００３７】
１０…液体容器、１４…蓋体、１５…ポット本体、１６…上部外装体、１７…操作パネル部、２２…配設凹部、２３…排水口、２４…ダクト部、２５…ネジ挿通孔、２６…配線挿通孔、２７…作動部材挿通孔、３０…防水壁、３１…下部外装体、３２…傾斜部、３３…排水孔、３４…隔壁部、３５…隔壁、３６…基板収容部、３７…非基板収容部、３８…リブ部、３９…遮熱容器、４０…排水口、４１…ネジ挿通孔、４２…配線挿通孔、４３…作動部材挿通孔、４６…防水壁、４７…加熱板、４８…作動部材挿通孔、４９…ヒータ（加熱手段）、５０…充電部、５７…操作基板、６４…制御基板、６６…マイコン、６７…基板ホルダー、６９…壁部。
【図１】
2005261757.tif 000003
【図２】
2005261757.tif 000004
【図３】
2005261757.tif 000005
【図４】
2005261757.tif 000006
【図５】
2005261757.tif 000007
【図６】
2005261757.tif 000008
【図７】
2005261757.tif 000009